(57)【要約】【課題】  携帯冷温熱袋において畳んでも厚さが薄くて嵩張らず、冷水を凝固する凝固剤をセットにし、極めて小さな氷嚢や湯たんぽを形成する携帯冷温熱袋のセットを提供する。【解決手段】  直鎖状低密度ポリエチレンの厚さが５〜１５μｍで薄いフィルムを有底の袋としたもので折り畳んだ袋と、該袋に水を凝固させる粉末凝固剤を挿入、或いは、該袋とは別に粉末凝固剤を梱包したものをセットと携帯冷温熱袋のセットであって、 前記薄いフィルムの厚さは、１０μｍであり、折り畳んだ袋は、二つ折りにした使用説明書に挟み、透明或いは半透明の大きさが横５〜８ｃｍ、縦７〜９ｃｍの袋に折り畳んで挿入した携帯冷温熱袋のセット。【選択図】図１１
2018000793.tif 000002
【特許請求の範囲】
【請求項１】
直鎖状低密度ポリエチレンの厚さが５〜１５μｍで薄いフィルムを有底の袋としたもので折り畳んだ袋と、該袋に水を凝固させる粉末凝固剤を挿入、或いは、該袋とは別に粉末凝固剤を梱包したものをセットとしたことを特徴とする携帯冷温熱袋のセット。
【請求項２】
前記薄いフィルムの厚さは、１０μｍであることを特徴とする請求項１に記載の携帯冷温熱袋のセット。
【請求項３】
前記折り畳んだ袋は、二つ折りにした使用説明書に挟み、透明或いは半透明の大きさが横５〜８ｃｍ、縦７〜９ｃｍの袋に折り畳んで挿入したことを特徴とする請求項１または２に記載の携帯冷温熱袋のセット。
【請求項４】
前記粉末凝固剤は、ポリアクリル酸ナトリウムの高吸水性高分子であることを特徴とする請求項１から３の記載から選択される携帯冷温熱袋のセット。
【請求項５】
前記粉末凝固剤を梱包した袋は水溶性であって、横３〜５ｃｍ、縦１.５〜３ｃｍの大きさであることを特徴とする請求項１から４の記載から選択される携帯冷温熱袋のセット。
【請求項６】
前記前記粉末凝固剤の量は６〜１０ｇで、２００ｍｌ〜８００ｍｌの水でゼリー状に凝固することを特徴とする請求項１から５の記載から選択される携帯冷温熱袋のセット。
【発明の詳細な説明】
【技術分野】
【０００１】
本発明は、携帯冷温熱袋のセットに関するものであり、更に詳しくは、常時携帯でき、必要に応じてペットボトルの冷水を注入して氷嚢や、温水を注入して湯たんぽを形成することができる携帯冷温熱袋のセットに関するものである。
【背景技術】
【０００２】
近年、夏期において、戸外や室内でも熱中症で体調を崩すことが問題になっており、長い外出や公害の作業において、首回りや頭部を冷やす氷嚢等が求められていた。身体の特定部位の冷却を要する場合には、水や氷などの冷媒が入った嚢状の氷嚢を、冷却を要する部位に接触させることが行われている。
しかし、従来の氷嚢においては、氷嚢を手で押さえて冷却を要する部位に当てておく必要がある。そのため、氷嚢使用者は、氷嚢使用時に、片手もしくは両手を長時間ふさがれてしまい、手を使った作業をすることが困難であった。
【０００３】
一方、例えば特許文献１においては、氷嚢取付板が設けられたバンド状の氷嚢固定具によって氷嚢を固定し、身体の特定部位を冷却することが開示されている。 また、例えば特許文献２においては、首に装着して使用する安眠まくらに設けられたポケットに冷却材を入れることにより、身体の特定部位を冷却することが開示されている。
【先行技術文献】
【特許文献】
【０００４】
【特許文献１】特開２００３−３１９９６２号公報
【特許文献２】登録実用新案第３１６９４５１号公報
【発明の概要】
【発明が解決しようとする課題】
【０００５】
特許文献１の氷嚢固定具においては、氷と水とを入れた氷嚢を冷却したい所望の位置に安定して保持させることができるので、氷嚢使用者は、氷嚢使用時においても両手を使用することが可能である。
しかしながら、氷は、水と接触している状態では溶け易いという問題がある。したがって、特許文献１に記載された氷嚢は、氷が溶ける度に氷嚢に新たに氷を入れなおす必要があり、氷嚢使用者にとって非常に手間がかかるものである。
【０００６】
一方、特許文献２の安眠まくらにおいては、氷と水の代わりに、氷水に比べて冷却効果が長時間持続するジェルまたはゲル状の冷却材を使用することも考えられる。
これにより、上記使用者にとっての手間は解消されるが、あらかじめ冷凍庫で冷却された状態のジェルまたはゲル状の冷却材を外出先で入手することは困難であり、携帯するのには不便である。
【０００７】
本発明は、上記課題に鑑みてなされたものであり、小型で軽量な携帯冷温熱袋のセットで、どこでも簡単に氷嚢を形成でき、必要に応じて湯たんぽを形成できる携帯冷温熱袋のセットを提供しようとするものである。
【課題を解決するための手段】
【０００８】
上記課題を解決するために、請求項１の発明は、直鎖状低密度ポリエチレンの厚さが５〜１５μｍで薄いフィルムを細長い有底の袋としたもので折り畳んだ袋と、該袋に水を凝固させる粉末凝固剤を挿入、或いは、該袋とは別に粉末凝固剤を梱包したものをセットとしたことを特徴とする携帯冷温熱袋のセット。
請求項２の発明は、請求項１に記載の携帯冷温熱袋のセットにおいて、前記薄いフィルムの厚さは、１０μｍであることを特徴とする。
請求項３の発明は、請求項１または２に記載の携帯冷温熱袋のセットにおいて、前記折り畳んだ袋は、二つ折りにした使用説明書に挟み、透明或いは半透明の大きさが横５〜８ｃｍ、縦７〜９ｃｍの袋に折り畳んで挿入したことを特徴とする。
請求項４の発明は、請求項１から３の記載から選択される携帯冷温熱袋のセットにおいて、前記粉末凝固剤はポリアクリル酸ナトリウムの高吸水性高分子であることを特徴とする。
請求項５の発明は、請求項１から４の記載から選択される携帯冷温熱袋のセットにおいて、前記粉末凝固剤を梱包した袋は水溶性であって、横３〜５ｃｍ、縦１.５〜３ｃｍの大きさであることを特徴とする。
請求項６の発明は、請求項１から５の記載から選択される携帯冷温熱袋のセットにおいて、 前記前記粉末凝固剤の量は６〜１０ｇで、２００ｍｌ(ペットボトルの半分弱)〜８００ｍｌの水でゼリー状に凝固することを特徴とする。
【発明の効果】
【０００９】
本発明の携帯冷温熱袋のセットにおける発明によれば、小型で軽量な携帯冷温熱袋のセットであって、どこでも簡単に氷嚢や湯たんぽを形成できる。
また、凝固剤を中心に携帯冷温熱袋で畳んでも薄くなり、凝固剤とを入れた水溶性の袋と組み合わせても、極めて小型軽量の携帯冷温熱袋のセットとなり、家庭や自動車に常備しても場所を取らず、野外でも使用できるといった様に、多岐に亘り、且つ、廃棄する際にも生ゴミ或いは家庭ゴミとして廃棄が可能となり、場所も取らないといった利点がある。
さらに、粉末凝固剤はポリアクリル酸ナトリウムの高吸水性高分子であり、携帯冷温熱袋もきわめて薄い直鎖状低密度ポリエチレンの袋なので、使用箇所の形状にフィットし、安定的に冷やす箇所に載置できる。
また、粉末凝固剤はポリアクリル酸ナトリウムの高吸水性高分子であるので、万が一破れて、ゲルが外とにもれても安全である。
【図面の簡単な説明】
【００１０】
【図１】本発明の実施例の直鎖状低密度ポリエチレンの円筒状のフィルムを折り畳んだ部分斜視図、
【図２】図１の折り畳んだフィルムを押圧した状態の部分斜視図、
【図３】図２の積層したフィルムの所定箇所にヒートシールとして積層フィルムを加熱接着し、ミシン目を施した状態の部分斜視図、
【図４】図３の状態のフィルム帯をミシン目から切り離して携帯冷温熱袋とした斜視図、
【図５】図４のＡ部分の拡大部分斜視図、
【図６】凝固剤が入った水溶性の袋の平面図、
【図７】中間処理での積層したフィルム２（６０cm×１５cm）の折り畳み開始状態の説明図
【図８】図７の状態から（ｂ）から(e)の順で折り畳む手順を示した説明図、
【図９】図８の状態から、使用説明書をセット梱包袋に梱包する手順（ｅ）（ｆ）を示した説明図、
【図１０】本発明の実施例である携帯冷温熱袋のセットの断面図、
【図１１】図１１(ａ)は、本発明の実施例の有底を利用した携帯冷温熱袋、図１１(ｂ)は携帯冷温熱袋のセットの水枕等に使用する使用方法を説明する説明図、
【図１２】図１２(ａ)は、本発明の実施例の別の使用例として、中間部分を利用した携帯冷温熱袋、図１２(ｂ)は携帯冷温熱袋のセットの額や頭等に使用する使用方法を説明する説明図、
【図１３】本発明の実施例の更に別の使用例として、細長くして肘等に巻き付けるタイプの氷嚢として使用する使用方法を説明する説明図である。
【発明を実施するための形態】
【００１１】
本発明は、直鎖状低密度ポリエチレン(ＬＬＤＰＥ(Linear Low Density Poiythylene))の極めて薄いフィルムからなる袋であって、この筒状のフィルムを複数の襞状にして畳んで積層して、底部を熱シールし、使用に際して袋底部が丸みを呈するようにした携帯冷温熱袋を用いて、凝固剤６、使用説明書７を極めて小さなセットにした携帯冷温熱袋のセット５である。
以下に、本発明の携帯冷温熱袋のセットを氷嚢や湯たんぽとして使用する好適な実施例を、図面を参照して説明する。
【実施例】
【００１２】
本発明の実施例の携帯冷温熱袋は、直鎖状低密度ポリエチレン(ＬＬＤＰＥ)の極めて薄いフィルムを使用するが、その厚さは、５〜１５μｍ、好ましくは、１０μｍ（０.０１mm）のものを使用している。
なお、この直鎖状低密度ポリエチレンは、Linear Low Density Polyethylene‐L-LDPEとも呼ばれ、繰り返し単位のエチレンと若干量のα‐オレフィンを共重合させた、熱可塑性樹脂に属する合成樹脂で、JIS K6899-1：2000においてリニアポリエチレンとは密度0.910〜0.925の直鎖状ポリエチレンコーポリマーと定義されている。食品包装の接着層等に使用され、耐ピンホール性に優れ、剛性や柔軟性はHDPEとLDPEの中間に位置し、耐熱性、耐水・耐薬品性に優れ、耐油性や界面活性剤が起こすストレスクラッキング（環境応力亀裂）への耐性はＨＤＰＥやＬＤＰＥを上回るものである。
【００１３】
図１に示すように、本実施例の携帯冷温熱袋のセットに使用するの携帯冷温熱袋１は、この直鎖状低密度ポリエチレンの円筒状の薄いフィルム２を折り畳んで部分的に加熱してヒートシールするが、まず、その前提として、長手方向に細長い上面部２１と下面部２２を設けて、その他の部分を上面部２１と下面部２２との間に、蛇腹の複数の襞状にして畳んで積層する。この襞状(蛇腹状)の襞状部２３は、長手方向の中心線２４の位置まで約７．５cmの襞であるが(１つの襞状部の長さは１５cm)、両側から図１に示すように三層の襞状部２３a,２３b,２３cを形成するように折り畳んでいる。すなわち、両外側から３枚の襞状部２３a,２３b,２３cが内側に折り込まれている。
したがって、図１、図２から判るように、上から下に８層のフィルム２が積層されており、この積層フィルム帯３を押し圧すれば厚さが理論的には、１０μｍ×８枚＝８０μｍである。また、本実施例では、上面部２１及び下面部２２の幅は約１５cmであるので、元の円筒である円周の長さは、１５cm×８枚＝１２０cmである。
なお、襞状部２３の枚数が多ければ多いほど円周の長さは大きくなるが、逆に、積層フィルム帯３の厚みが増すので、製品を折り畳み難い、円筒の直径も大きすぎるので襞状部２３の枚数は２枚から５枚程度が良く、好ましくは、本実施例のように３枚程度が扱い易さを考慮すれば適当である。
【００１４】
次に、図３及び図４に示すように、積層したフィルム２の積層フィルム帯３を長手方向の所定長毎に、本実施例では６０cm毎に、長手方向に対して直角方向に加熱し加圧するヒートシールし加熱接着部４として、それより長手方向の上側を袋底部１２とし、この袋底部１２及び加熱接着部４の長手方向の下側に位置する箇所に切断用のミシン目４１を設け、図４及びその切り口の拡大部分斜視図に示すように、使用に際してミシン目４１から切り離して、一方のミシン目４１は次の袋の開口部１１になり、加熱接着部４の近傍は袋底部１２が丸みを呈する携帯冷温熱袋１となる。したがって、見た目の中間処理での積層したフィルム２の面積は６０cm×１５cmである。
この袋底部１２が丸みを呈する(図１１、１２参照)のは、袋の下端部が長さ１５cmのヒートシールされた加熱接着部４となり、そこから両側にそれぞれ３枚の襞が展開、すなわち１５／２cm×３層＝２２.５cmが展開されるので、尖った袋底部にはならず、丸みを呈する底部となり、処理後の形状がコンパクトになり収納効率や処理効率も向上する。
【００１５】
上記の様に形成された携帯冷温熱袋１は、従来の収納容積の携帯冷温熱袋と比較して角形袋(５重に折り畳み)した容積で約１／２、厚さは従来の食品用ラップと同等の１０μmであるので約１／３、重さに至っては従来は２６gであったが本実施例では７gとすることが可能となる。このことは、災害時等では貴重なスペースの効率化に資するものである。
また、このヒートシールした加熱接着部４は、シール線の下の部分を故意に引き裂いた状態で、水１Ｌを携帯冷温熱袋に入れても、シールの巾ｈ(図５参照)が１mmでも溶着していれば水が漏れることはなかった。なお、このシールの巾ｈは、１mmから５mm程度がシール性もよく扱い易い。
【００１６】
この薄いフィルムの特徴は、厚さが５〜１５μｍ程度の袋であっても、水等を貯留しても破れることがなく強度(シューレン破裂強さ)があり、柔軟性(引張弾性率)があり畳んでも薄くてよく、且つ、ヒートシールで積層フィルム帯３を接着しても孔が開く(ヒートシール強さ)ことがない。なお、直鎖状低密度ポリエチレン(ＬＬＤＰＥ)の薄いフィルムの厚さを５μｍ〜１５μｍとしたのは、５μｍより薄いと強度が弱く破れやすく、１５μｍより厚いと製品もゴワゴワし扱い難く嵩張り、従来のポリエチレンフィルムと同じ様に不都合であるからであり、好ましくは、１０μｍの厚さが最適である。
【００１７】
次に、上述した携帯冷温熱袋１を携帯冷温熱袋のセット５で使用する場合の１実施例を説明する。
本実施例の携帯冷温熱袋１は５回に折り畳めば６.５cm×７.５cm程度に収まり重さも７gと軽量であるが、図１０に示すような、携帯冷温熱袋のセット５であって、これに凝固剤６の８ｇの１袋を組み合わせても１５ｇである。
この携帯冷温熱袋セット５の特徴の１つは、超薄手のフィルムで製作した携帯冷温熱袋１に図６に示すような水溶性の７cm×７cmの袋６１１に入れた凝固剤６を中心内部に折り畳んで、これを１３cm×８cmの使用説明書７に挟み、最後にセット梱包袋５１に入れて１セットとしている。
【００１８】
ここで、中間処理での積層したフィルム２の面積は６０cm×１５cmの携帯冷温熱袋１を凝固剤６の水溶性の袋６１を包んで畳む手順と、最後に透明或いは半透明のフィルムのセット梱包袋５１に梱包する手順を、図７〜９に沿って説明する。
前述のフィルム８枚重ねの６０cm×１５cmの積層フィルムを、先ず、図７(ａ)：長手方向に半分に畳み３０cm×１５cmにし、右から３／４の位置に凝固剤を置き、図８(ａ)：右側半分を１／２に折り畳み、図８(ｂ)：左側を凝固剤に折り込み、図８(ｃ):更に半分に折り畳み、図８(ｄ)：下側から上側に折り畳む。折り畳んだ凝固剤入りフィルムを、図９（ｆ)に示すように二つ折りにした使用説明書７に挟み、一緒にしてセット梱包袋５１に梱包して完了する。
最終的な大きさは、横８６cm、縦７.５cm、最も厚い箇所で０.７cmである。
【００１９】
凝固剤６は、例えば、前掲特許文献３に記載されているようなもので、本実施例ではセルレット(登録商標)として市販されているものを使用している。
この凝固剤６は、水溶性の袋６１の中に凝固剤としてはポリアクリル酸ナトリウム(-CH2CHCooNa-)nの高吸水性高分子である。
したがって、携帯冷温熱袋１にペットボトルの水や水道水と凝固剤６が８ｇ入った水溶性の梱包袋５１ごと投入すれば、直ちに、セット梱包袋５１が水に溶け、中の凝固剤がゲル化する。この高吸水性高分子は人体に無害であるので、万が一袋が破れても人体には安全である。
【００２０】
ここで、図１１、図１２、図１３に沿って、携帯冷温熱袋１を用いた携帯冷温熱袋のセット５の使用方法を説明する。
まず、図１１（ａ)に示すように、携帯冷温熱袋のセット５のセット梱包袋５１を開け、携帯冷温熱袋１を取り出し、上側の１２０cm円周の開口部１１を開き丸底を形成するように拡げて、冷水Ｂと凝固剤６とを投入すればよい。凝固剤が水分を吸収してゲル状(ゼリー状物質)Ｃに凝固した冷水Ｂは約３０秒で小さな塊となり、その後ゲル状の凝固物資の頂部でフィルムを束ねて結束（結束部８)し、の携帯冷温熱袋１は、適度の柔らかさを有する氷嚢となる。なお、凝固剤６は、粉末として予め携帯冷温熱袋１に入れておいても、或いは、後から水溶性の袋６１ごと投入してもよい。
なお、粉末凝固剤の量は６〜１０ｇで、より好ましくは８ｇがよく、飲料水としての自動販売機として比較的入手可能な２００ｍｌ(ペットボトルの半分弱)から８００ｍｌの水でゼリー状に凝固する量が利用性が高い。この携帯冷温熱袋１は再び開口部１１を開いて再使用も可能である。このように、携帯冷温熱袋のセット５は非常に小さいので、大量に備蓄することができる。また、そのまま生ゴミ処理が可能となる。
その後、図１１(ｂ）に示すように、凝固剤が水分を吸収してゲル状(ゼリー状物質)Ｃに凝固して、水枕型氷嚢８１として使用できる。このように、袋の中の冷水を入れれば即氷嚢となり、温まってしまた凝固したゲルを冷蔵庫で冷やせば、再び氷嚢として使用でき、逆に、温水を投入したりゲルを温めたりすれば湯たんぽとしても利用できる。
【００２１】
この水枕型氷嚢８１の変形として、額や頭の上に載せ帽子やヘルメットを被る「氷嚢」型となるが、実験の結果、冷えたペットボトルの半分で１０時間維持できた。更に、１本分５００ｍｌを入れシャーベット状凝固を確認しエアーを抜き、袋口側（５０ｃｍ程度）を結び、長めの筒状になるので、掌で抑え平にし後頭部の首に巻け１０時間使えた。
袋幅は６０ｃｍであるので、シャーベット状凝固を掌で押しながら全体を平たくすれば厚さ約２ｃｍの（クニャクニャ）な柔らかい板状のアイシングパッドになる。身体の何処部分の形状にも密着し、野球のピッチャーの肩を冷やすこともでき、夏場ゴルフ場でも使える。このように、水枕型氷嚢８１でなくとも。身体の冷やす箇所に当てていれば、湿布等として治療等にも利用できる。
【００２２】
ところで、この袋一つに水だけ（ペットボトル半分）、もう一つに凝固剤を入れゲル状凝固させて３０分冷蔵庫に入れた後、車の中或いは炎天下に置いたが、３０分で前者はお湯になり、後者の冷たさは変わらないことも確認した。凝固剤を使用することによって熱容量が大幅に増えたことが推定できる。かばん等に入れて移動した場合には１０時間程度冷えた状態を維持した。
また、投入する水は水道水でもよく、例えば、水道水温度は５月で最高２０℃程度であるが、体温３６.５℃で十分冷えを感じる。また、夏場の８月の水道水温度は２８℃になるのが、熱中症予防では最低でも緊急措置として自販機のペットボトルの冷水を利用すればよい。実際の使用では自販機のペットボトルの冷水で３時間、冷蔵庫に入れて冷やした『氷嚢』なら直射日光でも３時間冷えた状態が維持できた。なお、子供用としては、冷やす面積が小さいので２００ｍｌの水の使用が適している。
【００２３】
次に、図１２（ａ)に示すように、携帯冷温熱袋のセット５のセット梱包袋５１を開け、携帯冷温熱袋１を取り出し、携帯冷温熱袋１の下側の適所を結束(縛って)して結束部８とし、この結束部８を底として、結束部８からミシン目４１までを紐状の結び用の結用部分８２１とし、上側の１２０cm円周の開口部１１を開き、冷水Ｂと凝固剤６とを投入し、その後ゲル状の凝固物資の頂部でフィルムを束ねて結束（結束部８)すれば、結束部８より上も結び用の結用部分８２１とする。
この場合は、図１２(ｂ）に示すように、凝固剤が水分を吸収してゲル状(ゼリー状物質)Ｃに凝固して、両側の結用部分８２１を利用すれば鉢巻き型氷嚢８２を形成し、携帯冷温熱袋１は、適度の柔らかさを有する氷嚢となる。また、そのまま生ゴミ処理が可能となる。
この場合も袋の中の冷水を入れれば即氷嚢となり、温まってしまった凝固したゲルを冷蔵庫で冷やせば、再び氷嚢として使用でき、逆に温めれば湯たんぽとして使用できる。
【００２４】
図１３に示すのは、別の使用例で、袋を細長く使用して、身体に複数回巻き付ける、肘・肩用アイシンング氷嚢８３である。本実施例は、本発明の携帯冷温熱袋セットでの凝固した状態が柔軟性やフィット性が良いことを利用して、肘・肩用アイシンング氷嚢８３としたものであるが、肘・肩以外にも足の関節、足首に巻き付けて、足用アイシンング用氷嚢８３として使用することもでき、この場合は手足の広い範囲に氷嚢として用いることができ、或いは、温湿布として安定的に密着して用いることができる。
【００２５】
以上のように本発明の実施例によれば、小型で軽量な携帯冷温熱袋のセットであって、どこでも簡単に氷嚢や湯たんぽを形成できる。
また、凝固剤６を中心に携帯冷温熱袋１で畳んでも薄くなり、凝固剤６を入れた水溶性の袋６１と組み合わせても、極めて小型軽量の携帯冷温熱袋のセットとなり、家庭や自動車に常備しても場所を取らず、野外でも使用できるといった様に、多岐に亘り、且つ、廃棄する際にも生ゴミ或いは家庭ゴミとして廃棄が可能となり、場所も取らないといった利点がある。
さらに、粉末凝固剤はポリアクリル酸ナトリウムの高吸水性高分子であり、携帯冷温熱袋もきわめて薄い直鎖状低密度ポリエチレンの袋なので、使用箇所の形状にフィットし、安定的に冷やす箇所に載置できる。
【００２６】
なお、本発明の特徴を損なうものでなければ、上記の実施例に限定されるものでないことは勿論であり、例えば、直鎖状低密度ポリエチレン(ＬＬＤＰＥ)の厚さ、襞状部の長さ、襞状部の枚数等は実施例に限定されるものでないことは勿論である。また、主に、水の凝固状態を冷やして氷嚢等の実施例を説明したが、温めて湯たんぽ等の保温や温湿布として用いることを含むことも勿論である。
【符号の説明】
【００２７】
Ｂ・・冷水、Ｃ・・凝固したゲル状物質、  
１・・携帯冷温熱袋、１１・・開口部、１２・・袋底部、
２・・フィルム、２１・・上面部、２２・・下面部、
２３,２３a,２３b,２３c・・襞状部、２４・・中心線
３・・積層フィルム帯
４・・加熱接着部(ヒートシール)、４１・・ミシン目、
５・・携帯冷温熱袋のセット、５１・・セット梱包袋
６・・凝固剤、６１・・水溶性の袋、
７・・使用説明書、
８・・結束部、８１・・水枕型氷嚢、８２・・鉢巻き型氷嚢、
８２１・・結用部分、８３・・肘・肩用アイシンング氷嚢
【図１】
2018000793.tif 000003
【図２】
2018000793.tif 000004
【図３】
2018000793.tif 000005
【図４】
2018000793.tif 000006
【図５】
2018000793.tif 000007
【図６】
2018000793.tif 000008
【図７】
2018000793.tif 000009
【図８】
2018000793.tif 000010
【図９】
2018000793.tif 000011
【図１０】
2018000793.tif 000012
【図１１】
2018000793.tif 000013
【図１２】
2018000793.tif 000014
【図１３】
2018000793.tif 000015